(57)【要約】      （修正有）【課題】製作上の負担を軽減し、製作等にかかるコストを抑えられる足踏み式消毒液ボトルスタンドを提供する。【解決手段】足踏み式消毒液ボトルスタンドは、ベース１に立設されて下端近くの側面に上下に延びる溝穴２１を有する筒状の外柱２と、溝穴２１の正面方向に設けられたペダル３と、その上方で外柱２に取り付けられるトレイ４と、外柱２に上下動可能に挿入されて上端側が外柱２の上方から突出する内柱５と、内柱５の上端側に設けられてトレイ４に置かれる消毒液ボトルＢのノズルヘッドＨを押し下げるための押さえ具６と、外柱２内に設けられて内柱５を上方に付勢する弾性体と、内柱５に連結されて溝穴２１から突出する連動金具と、を備えてなり、連動金具は、突出部分によりペダル３を当接支持してなる。【選択図】図１
0003230176.tif 000002
【実用新案登録請求の範囲】
【請求項１】
ベースに立設されて下端近くの側面に上下に延びる溝穴を有する筒状の外柱と、
前記溝穴の正面方向に設けられて前記溝穴側の端部が自由端となるようベースに回動支持されるペダルと、
前記ペダルの上方で外柱に取り付けられるトレイと、
前記外柱に上下動可能に挿入されて上端側が外柱の上方から突出する内柱と、
前記内柱の上端側に設けられて前記トレイに置かれる消毒液ボトルのノズルヘッドを押し下げるための押さえ具と、
前記外柱内に設けられて前記内柱を上方に付勢する弾性体と、
前記内柱に連結されて前記溝穴から突出する連動金具と、を備えてなり、
前記連動金具は、前記突出した部分により前記ペダルを当接支持してなることを特徴とする足踏み式消毒液ボトルスタンド。
【請求項２】
前記連動金具は、前記内柱に設けられたネジ穴に螺合されることにより前記内柱に連結されることを特徴とする請求項１記載の足踏み式消毒液ボトルスタンド。
【請求項３】
前記連動金具は、Ｔ字形部材であり、Ｔ字の上部を成す横断部材の両側に設けられたローラーが前記ペダルを支持してなることを特徴とする請求項１又は２記載の足踏み式消毒液ボトルスタンド。
【請求項４】
前記ペダルは、その下面側に筒状の挿入部が形成されており、該挿入部に前記連動金具が係合することを特徴とする請求項１乃至３の何れかに記載の足踏み式消毒液ボトルスタンド。
【請求項５】
前記弾性体は、前記内柱に環設されることにより保持されるコイルスプリングであることを特徴とする請求項１乃至４の何れかに記載の足踏み式消毒液ボトルスタンド。
【請求項６】
前記内柱は、前記連動金具との連結部の上方に案内部材を相対移動可能に環設しており、前記案内部材の上方にコイルスプリングが環設されており、前記コイルスプリングの上方に前記コイルスプリングの上端を押さえるストッパーが固設されており、
前記案内部材は前記外柱に対して前記溝穴の上方で固定されていることを特徴とする請求項５記載の足踏み式消毒液ボトルスタンド。
【請求項７】
前記パイプは、下端部にナット部材が設けられており、
前記ベースは、前記パイプの立設位置にボルト挿通穴が設けられており、
前記パイプと前記ベースが、前記ナット部材と前記ベースの下面側から挿通されるボルトで固定されていることを特徴とする請求項１乃至６の何れかに記載の足踏み式消毒液ボトルスタンド。
【考案の詳細な説明】
【技術分野】
【０００１】
本考案は、足踏み式消毒液ボトルスタンドに関する。
【背景技術】
【０００２】
従来、ノズルヘッドを押し下げることにより消毒液を噴出する消毒液ボトルがあるが、前の人が操作したヘッドに触れることに抵抗感を持つ人は多い。そこで、消毒液ボトルを載せるトレイがあるスタンドでその下方に足踏みペダルを設ける一方、トレイ上方にノズルヘッドを押し下げる押さえ具を設け、ペダルの足踏み操作により押さえ具を作動させる足踏み式消毒液ボトルスタンドが提案されている（例えば、特許文文献１参照。）。
【０００３】
具体的には、ベース中央の箱形を成す山部の上面にパイプを立設し、該パイプにロッドを上下動可能に貫挿して、ロッドの上端側をパイプの上方へ突出させる一方、下端側をパイプの下方（山部の内側）へ突出させる。そして、ロッド上端側にはノズルヘッドを押し下げる押さえ具を設ける。また、ロッドの底面には圧縮コイルスプリングを固定して、ロッド全体を上方に付勢するように支持させると共にそのすぐ上側にリンク機構の一端を枢着し、他端をベースの外部に設けられるペダルに枢着することによりロッドとペダルを連結する。
【０００４】
ペダルを踏むと、リンク機構で連結されているロッドがスプリング力に抗して下方移動し、それに伴って上端側の押さえ具がノズルヘッドを押し下げて、消毒液を噴出させる。ペダルを放すと、スプリング力でロッドが元の位置へ上方移動し、押さえ具によるノズルヘッドの押し下げが解除される。なお、ペダルの円弧状の動きをリンク機構で上下の動きに変換してロッドに伝達することで、ロッドがパイプ内でぶれたり傾いたりすることなく上下動することを担保している。
【先行技術文献】
【特許文献】
【０００５】
【特許文献１】実用新案登録第３１８８０１４号公報
【考案の概要】
【考案が解決しようとする課題】
【０００６】
ところで、上記従来の足踏み式消毒液ボトルスタンドでは、パイプ下方に突出するロッドの下端にペダルを連結させているため、ロッドの突出空間となる箱形の山部を設ける必要があり、これにより、製作コストが上昇するという問題がある。また、ロッドを突出させるためにパイプ下側を開口させた状態で山部の上面に立設させようとすると、山部上面に設けた貫通穴にパイプを位置合わせしたうえで、パイプの周縁部と山部の上面を溶接する等の工程が必要となり、これも製作コストが上昇させる原因となる。
【０００７】
更に、板状体で周囲を覆われている山部の内側で、リンク機構のスムーズな動きが担保されるように所定の取付精度を確保しながら、ロッド下端及びペダルに対してリンク機構を枢着させる作業は非常に煩雑である。特にペダルからロッドまで部品が連結されているため、寸法面の融通性が低く、各部品も相応の製作精度が要求されるものであり、その点においてもコストが高くなりがちであるという問題がある。その他、ロッドの下端に対してコイルスプリングの自由端を固定することも、スプリングが傾いた状態とならないように管理が必要である。
【０００８】
上記のような実情に鑑みて、本考案は、ノズルヘッドを備える消毒液ボトルからペダルの足踏み操作により消毒液を噴射させるようにした足踏み式消毒液ボトルスタンドにおいて、製作上の負担を軽減し、製作等にかかるコストを抑えることを目的とする。
【課題を解決するための手段】
【０００９】
請求項１の考案は、
ベースに立設されて下端近くの側面に上下に延びる溝穴を有する筒状の外柱と、
前記溝穴の正面方向に設けられて前記溝穴側の端部が自由端となるようベースに回動支持されるペダルと、
前記ペダルの上方で外柱に取り付けられるトレイと、
前記外柱に上下動可能に挿入されて上端側が外柱の上方から突出する内柱と、
前記内柱の上端側に設けられて前記トレイに置かれる消毒液ボトルのノズルヘッドを押し下げるための押さえ具と、
前記外柱内に設けられて前記内柱を上方に付勢する弾性体と、
前記内柱に連結されて前記溝穴から突出する連動金具と、を備えてなり、
前記連動金具は、前記突出した部分により前記ペダルを当接支持してなることを特徴とする足踏み式消毒液ボトルスタンドを提供する。
【００１０】
請求項２の考案は、
前記連動金具は、前記内柱に設けられたネジ穴に螺合されることにより前記内柱に連結されることを特徴とする請求項１記載の足踏み式消毒液ボトルスタンドを提供する。
【００１１】
請求項３の考案は、
前記連動金具は、Ｔ字形部材であり、Ｔ字の上部を成す横断部材の両側に設けられたローラーが前記ペダルを支持してなることを特徴とする請求項１又は２記載の足踏み式消毒液ボトルスタンドを提供する。
【００１２】
請求項４の考案は、
前記ペダルは、その下面側に筒状の挿入部が形成されており、該挿入部に前記連動金具が係合することを特徴とする請求項１乃至３の何れかに記載の足踏み式消毒液ボトルスタンドを提供する。
【００１３】
請求項５の考案は、
前記弾性体は、前記内柱に環設されることにより保持されるコイルスプリングであることを特徴とする請求項１乃至４の何れかに記載の足踏み式消毒液ボトルスタンドを提供する。
【００１４】
請求項６の考案は、  
前記内柱は、前記連動金具との連結部の上方に案内部材を相対移動可能に環設しており、前記案内部材の上方にコイルスプリングが環設されており、前記コイルスプリングの上方に前記コイルスプリングの上端を押さえるストッパーが固設されており、
前記案内部材は前記外柱に対して前記溝穴の上方で固定されていることを特徴とする請求項５記載の足踏み式消毒液ボトルスタンドを提供する。
【００１５】
請求項７の考案は、
前記パイプは、下端部にナット部材が設けられており、
前記ベースは、前記パイプの立設位置にボルト挿通穴が設けられており、
前記パイプと前記ベースが、前記ナット部材と前記ベースの下面側から挿通されるボルトで固定されていることを特徴とする請求項１乃至６の何れかに記載の足踏み式消毒液ボトルスタンドを提供する。
【考案の効果】
【００１６】
請求項１の考案に係る足踏み式消毒液ボトルスタンドによれば、以下の優れた効果を奏し得る。連動金具はペダルと連結していないが、踏み込まれるペダルと相対移動しながら確実に押し下げられる。すなわち、上記従来のスタンドのようにペダルとロッド（内柱）を連結するために箱形の山部を設けたり、パイプ（外柱）の下側を開口状態でベースに固定したり、周囲を覆われた空間内で部品を取り付けたりすることが一切不要になり製作コストを抑えられる。
【００１７】
請求項２の考案に係る足踏み式消毒液ボトルスタンドによれば、請求項１の考案に係る足踏み式消毒液ボトルスタンドが奏する効果に加えて、以下の優れた効果を奏し得る。連動金具を外柱の外側から溝穴を通して内柱に簡単に連結できる。
【００１８】
請求項３の考案に係る足踏み式消毒液ボトルスタンドによれば、請求項１又は２の考案に係る足踏み式消毒液ボトルスタンドが奏する効果に加えて、以下の優れた効果を奏し得る。連動金具の自由端側に形成されるＴ字形上部の横断部材に設けられたローラーでペダルを支持することでスムーズに相対移動させられる。
【００１９】
請求項４の考案に係る足踏み式消毒液ボトルスタンドによれば、請求項１乃至３の何れかの考案に係る足踏み式消毒液ボトルスタンドが奏する効果に加えて、以下の優れた効果を奏し得る。ペダル下側の挿入部が連結金具に係合することで相互に相手方の動きに確実に追従することができる。
【００２０】
請求項５の考案に係る足踏み式消毒液ボトルスタンドによれば、請求項１乃至４の何れかの考案に係る足踏み式消毒液ボトルスタンドが奏する効果に加えて、以下の優れた効果を奏し得る。コイルスプリングを内柱に環設することにより保持するので、管理が容易で製作し易い。
【００２１】
請求項６の考案に係る足踏み式消毒液ボトルスタンドによれば、請求項５の考案に係る足踏み式消毒液ボトルスタンドが奏する効果に加えて、以下の優れた効果を奏し得る。内柱を上方付勢するための構成部品すべてを予め内柱にセットできるので、組立が容易に行える。
【００２２】
請求項７の考案に係る足踏み式消毒液ボトルスタンドによれば、請求項６の考案に係る足踏み式消毒液ボトルスタンドが奏する効果に加えて、以下の優れた効果を奏し得る。ベースと外柱を簡単にネジ固定できるので、製作コストを抑えることができる。
【図面の簡単な説明】
【００２３】
【図１】足踏み式消毒液ボトルスタンドを示す斜視図。
【図２】足踏み式消毒液ボトルスタンドを示す側面図（部分的に断面を示す図）。
【図３】外柱、内柱及び連動金具を示す斜視図。
【図４】ペダルを示す斜視図。
【考案を実施するための形態】
【００２４】
以下、本考案の実施形態について添付図面を参照しながら説明する。図１及び図２に示される足踏み式消毒液ボトルスタンド（以下、「スタンド」という）は、丸い板状のベース１と、ベース１に立設されて下端近くの側面に上下に延びる溝穴２１を有する円筒状の外柱２と、溝穴２１の正面方向に設けられてベース１に回動支持されるペダル３と、ペダル３の上方に設けられるトレイ４と、外柱２に挿入されてその上方から上端側が突出する内柱５と、内柱５の上端側に設けられる押さえ具６と、外柱２の内部に設けられて内柱５を上方付勢するコイルスプリング（弾性体）７と、内柱５の下端部に連結されて溝穴２１から外部へ突出した部分にペダル３が載せられて、これを当接支持する連動金具８と、を備えてなる。
【００２５】
トレイ４に置かれる消毒液ボトルＢは、押し下げることにより消毒液を噴出するノズルヘッドＨを有してなり、そのすぐ上方に押さえ具６が位置するようにセットされている。手指を消毒しようとする使用者がこのスタンドの前でノズルヘッドＨの下向きの噴出口の下方に手を差し伸べながらペダル３を足踏みすると、ペダル３を当接支持する連動金具８とそれに連結される内柱５がコイルスプリング７に抗して下方移動し、内柱５に設けられた押さえ具６がノズルヘッドＨを押し下げて、使用者の手に消毒液を噴出させることができる。
【００２６】
ベース１は、スタンドが容易に倒れることがないように十分な重量と平面積を有する金属製プレート体であり、図２に示すように、外柱２が立設する位置には上下に貫通するネジ挿通孔１１が形成されており、ペダル３の回動支持端側に対応する位置にはペダル軸受体１２が設けられている。
【００２７】
外柱２は、金属製で長尺の円筒体であり、図３に示すように、最下端の内部にナット２２が嵌め込まれるようにして固定され、図２に示すように、ベース１の下面側からネジ挿通孔１１を通してナット２２に螺合されるボルト１３でベース１上に立設固定される。ナット２２のすぐ上方に上下方向に延びる溝穴２１が形成されており、そこから内柱５に連結される連動金具８が突出するように取り付けられて内柱５の動きに応じて上下動できるようになっている。外柱２は、後述するように、その溝穴２１及びそこから突出する連動金具８が後述するペダル３と向かい合うように向きを定めてベース１に固定する。
【００２８】
ペダル３は、図４に示すように、板材の一端を折り曲げられてＬ字形を成す平面視矩形状の踏面部材３１と、横断面コ字形状を有してなり踏面部材３１の下面に固定される補強部材３２からなり、踏面部材３１と補強部材３２により長手方向に延びる筒状の挿入部３ａが形成されている。挿入部３ａには後述するように連動金具８の自由端側が挿入係合される。補強部材３２は、本体部材３１の折曲部近くに軸受穴３２ａが形成されており、これと上述したペダル軸受体１２に形成される軸受穴１２ａに挿通される回動軸により、ペダル３が回動自在に支持される。
【００２９】
トレイ４は、図１及び２に示すように、ペダル３の上方に設けられており、外柱２に対して上下移動可能に固定されている。トレイ４の上方には、トレイ４に置かれた消毒液ボトルＢの上部に係合して横方向にずれ動かないように保持する枠状のボトル押さえ部品が同じく外柱２に対して上下移動可能に固定されている。なお、これらの上方には、スタンドの使用方法などを掲示するためのポップ部品が取り付けられている。
【００３０】
内柱５は、金属製で長尺の丸棒部材であり、図３に示すように、上端部が概ねＬ字形に折り曲げられており、更に折り曲げられて下を向く先端部に小さな円板６１が取り付けられることにより押さえ具６が形成されている。また、同図に示すように、内柱５の最下端部には、ナット（連結部）５１が上端部の折り曲げ部分と同じ水平方向にネジ穴が向けられるよう溶接で固定されており、連動金具８はナット５１に螺合されることにより内柱５に連結される。連結部５１の上方には、環状の案内部材５２が内柱５に対して同心かつ相対移動可能に環設されており、連結部５１により下側へ抜けないように保持されている。
【００３１】
案内部材５２の上方にはコイルスプリング７が環設されており、更にその上方にはコイルスプリング７の上端を押さえる円盤状のストッパー５３が内柱５に対して同心を成すように固定されている。内柱５の上部にもストッパーとして機能するものではないが、ストッパー５３と同様に内柱５に対して同心を成すように固定される案内部材５４が設けられている。なお、ストッパー５３、案内部材５４は、内柱５の内径よりやや小さく設定されており、内柱５が外柱２内で上下動するときに外柱２の内面に摺接して芯振れしないように案内する。
【００３２】
内柱５は、外柱２にその開口した上端側から挿入され、案内部材５２が、溝穴２１のすぐ上のネジ挿通穴２３から通されるボルト５５で固定されることにより、外柱２に対して簡単に組付けられる。内柱５に固定されるストッパー５３がコイルスプリング７を介して案内部材５２に支持されるため、内柱５はコイルスプリング７により上方に付勢されることになる。また、押さえ具を備える上端側が外柱２の上方から突出する一方、下方では溝穴２１の内側の上方寄りに連結部５１のネジ穴が位置するように設定されており、これに対して溝穴２１を通して連動金具８を螺合することにより内柱５と連動金具８を外柱２の外側から簡単に連結することができる。
【００３３】
連動金具８は、図３に示されるようなＴ字形部材であり、Ｔ字の上部を成す横断部材８１とその中央から垂直に延びる垂直部材８２とから成り、横断部材の両側にはペダル３を当接支持するローラー８３が取り付けられており、垂直部材８２の先端側には連結部５１のネジ穴に螺合するためのネジが形成されている。連動金具８を内柱５に連結すると、外柱２の溝穴２１から突出した状態とすることができ、図２に示されるように、横断部材８１をペダル３の自由端側に開口した挿入部３ａに挿入係合させて、ペダル３がベース１に回動支持されるように組み付けられる。なお、連動金具８を螺合する際には、横断部材８１を持つことでＴレンチのように楽に操作できる。
【００３４】
上記スタンドでは、ペダル３と連動金具８を連結しないため、部品の取付精度に融通性があり、取付作業を行い易い。その一方で、ペダル３が踏み込まれると、連動金具８は、ローラー８３が踏面部材３１の下面側を転がるようにして、ペダル３とスムーズに相対移動させられながら、図２で点線で示されるように確実に押し下げられる。また、連動金具８が挿入部３ａに挿入係合されているので、ペダル３と連動金具８は相互に相手方の動きに確実に追従することができる。
【００３５】
コイルスプリング７は、内柱２に環設されて案内部材５４とストッパー５３の間に挟まれている外柱２に収容されているので、上記従来のスタンドのようにスプリングの自由端をロッドに固定するようなものに比べて製作し易い。また、外柱２内に内柱５を上下動させる構成部品がすべて収容されていて、ベース１と外柱２をナット１３のみで簡単に連結できる。
【符号の説明】
【００３６】
１    ベース
２    外柱
３    ペダル
４    トレイ
５    内柱
６    押さえ具
７    コイルスプリング（弾性体）
８    連動金具
【図１】
0003230176.tif 000003
【図２】
0003230176.tif 000004
【図３】
0003230176.tif 000005
【図４】
0003230176.tif 000006
【手続補正書】
【提出日】令和2年10月31日(2020.10.31)
【手続補正１】
【補正対象書類名】実用新案登録請求の範囲
【補正対象項目名】請求項７
【補正方法】変更
【補正の内容】
【請求項７】
前記外柱は、下端部にナット部材が設けられており、
前記ベースは、前記外柱の立設位置にボルト挿通穴が設けられており、
前記外柱と前記ベースが、前記ナット部材と前記ベースの下面側から挿通されるボルトで固定されていることを特徴とする請求項１乃至６の何れかに記載の足踏み式消毒液ボトルスタンド。
【手続補正２】
【補正対象書類名】明細書
【補正対象項目名】００１５
【補正方法】変更
【補正の内容】
【００１５】
請求項７の考案は、
前記外柱は、下端部にナット部材が設けられており、
前記ベースは、前記外柱の立設位置にボルト挿通穴が設けられており、
前記外柱と前記ベースが、前記ナット部材と前記ベースの下面側から挿通されるボルトで固定されていることを特徴とする請求項１乃至６の何れかに記載の足踏み式消毒液ボトルスタンドを提供する。